(57)【要約】      （修正有）【課題】コスト増や大型化を招くことなく、装置本体に対するハンドル部及び外部アクセサリの着脱作業を容易にしつつ、電気的接続も可能にすることができる撮像装置を提供する。【解決手段】制御部１２５は、検出手段１１９ａによりハンドル部２０１が接続されたことが検出された場合に、切り替え手段１２７により電気接点部１１７ａとハンドル用電気信号回路との接続に切り替え、検出手段１１９ｂにより外部アクセサリ３０１が接続されたことが検出された場合に、切り替え手段１２７により電気接点部１１７ａとアクセサリ用電気信号回路との接続に切り替える。【選択図】図１４
2015018167.tif 000002
【特許請求の範囲】
【請求項１】
ハンドル部が着脱可能に接続される複数の接続部を有し、前記複数の接続部のうちの少なくとも一つの接続部に電気接点部が設けられる装置本体を備え、
前記装置本体は、
前記電気接点部が設けられた前記接続部に、前記ハンドル部が接続されたか外部アクセサリが接続されたかを検出する検出手段と、
前記電気接点部と前記ハンドル部に用いるハンドル用電気信号回路との接続と、前記電気接点部と前記外部アクセサリに用いるアクセサリ用電気信号回路との接続とを選択的に切り替える切り替え手段と、
前記切り替え手段を制御する制御手段と、を有し、
前記制御手段は、
前記検出手段により前記ハンドル部が接続されたことが検出された場合に、前記切り替え手段により前記電気接点部と前記ハンドル用電気信号回路との接続に切り替えて前記ハンドル部の電気信号線と前記ハンドル用電気信号回路の電気信号線とを導通させ、
前記検出手段により前記外部アクセサリが接続されたことが検出された場合に、前記切り替え手段により前記電気接点部と前記アクセサリ用電気信号回路との接続に切り替えて前記外部アクセサリの電気信号線と前記アクセサリ用電気信号回路の電気信号線とを導通させる、ことを特徴とする撮像装置。
【請求項２】
前記検出手段は、前記接続部に前記ハンドル部が固定されたときに前記接続部に前記ハンドル部が接続されたことを検出し、前記接続部に前記外部アクセサリが固定されたときに前記接続部に前記外部アクセサリが接続されたことを検出することを特徴とする請求項１に記載の撮像装置。
【請求項３】
前記検出手段は、前記ハンドル部に設けられたれピンにより押し込まれる第１の検出スイッチと、前記外部アクセサリに設けられたピンにより押し込まれる第２の検出スイッチとを有することを特徴とする請求項１又は２に記載の撮像装置。
【発明の詳細な説明】
【技術分野】
【０００１】
本発明は、例えばデジタルビデオカメラ等の撮像装置に関する。
【背景技術】
【０００２】
デジタルビデオカメラ等の撮像装置では、装置本体の上面部にハンドル部が設けられるものがある（特許文献１）。このハンドル部は、装置本体の上面部に光軸方向に互いに離間して設けられた２箇所の接続部に着脱可能に接続され、２箇所の接続部のうちの一方の接続部には、外部アクセサリが接続可能とされている。
【０００３】
また、ハンドル部に操作スイッチや音声用端子を設けた場合、ハンドル部の操作スイッチや音声用端子の電気接点部は、外部に露出するワイヤ等を介して装置本体の電気接点部に電気的に接続される。
【先行技術文献】
【特許文献】
【０００４】
【特許文献１】特開平５−２９２３６７号公報
【発明の概要】
【発明が解決しようとする課題】
【０００５】
しかし、ハンドル部と装置本体とをワイヤにより電気的に接続する場合、ワイヤを用いることによる装置のコスト増や大型化を招き、また、ワイヤが外部に露出するため、ハンドル部の着脱作業時にワイヤが邪魔になり、作業性が悪くなる。
【０００６】
また、電気接点部を有する外部アクセサリを装置本体に接続する場合、装置本体にハンドル部の電気接点部とは別途に外部アクセサリ用の電気接点部を設ける必要が生じ、装置の更なるコスト増や大型化を招くことになる。
【０００７】
そこで、本発明は、撮像装置のコスト増や大型化を招くことなく、装置本体に対するハンドル部及び外部アクセサリの着脱作業を容易にしつつ、電気的接続をも可能にする仕組みを提供することを目的とする。
【課題を解決するための手段】
【０００８】
上記目的を達成するために、本発明の撮像装置は、ハンドル部が着脱可能に接続される複数の接続部を有し、前記複数の接続部のうちの少なくとも一つの接続部に電気接点部が設けられる装置本体を備え、前記装置本体は、前記電気接点部が設けられた前記接続部に、前記ハンドル部が接続されたか外部アクセサリが接続されたかを検出する検出手段と、前記電気接点部と前記ハンドル部に用いるハンドル用電気信号回路との接続と、前記電気接点部と前記外部アクセサリに用いるアクセサリ用電気信号回路との接続とを選択的に切り替える切り替え手段と、前記切り替え手段を制御する制御手段と、を有し、前記制御手段は、前記検出手段により前記ハンドル部が接続されたことが検出された場合に、前記切り替え手段により前記電気接点部と前記ハンドル用電気信号回路との接続に切り替えて前記ハンドル部の電気信号線と前記ハンドル用電気信号回路の電気信号線とを導通させ、前記検出手段により前記外部アクセサリが接続されたことが検出された場合に、前記切り替え手段により前記電気接点部と前記アクセサリ用電気信号回路との接続に切り替えて前記外部アクセサリの電気信号線と前記アクセサリ用電気信号回路の電気信号線とを導通させる、ことを特徴とする。
【発明の効果】
【０００９】
本発明によれば、撮像装置のコスト増や大型化を招くことなく、装置本体に対するハンドル部及び外部アクセサリの着脱作業を容易にしつつ電気的接続も可能にすることができる。
【図面の簡単な説明】
【００１０】
【図１】本発明の撮像装置の実施形態の一例であるデジタルビデオカメラのカメラ本体にハンドル部を接続固定した状態を正面側（被写体側）から見た斜視図である。
【図２】図１に示すデジタルビデオカメラを背面側から見た斜視図である。
【図３】図１に示すデジタルビデオカメラのカメラ本体に外部アクセサリを接続固定した状態を示す斜視図である。
【図４】カメラ本体の接続部にハンドル部を接続する前の状態を示す斜視図である。
【図５】ハンドル部のコネクタ部を接続部のシュー板金に挿入した後の状態を示す斜視図である。
【図６】カメラ本体の接続部にハンドル部を固定する方法を説明する斜視図である。
【図７】カメラ本体の接続部に外部アクセサリを接続する前の状態を示す斜視図である。
【図８】外部アクセサリのコネクタ部を接続部のシュー板金に挿入した後の状態を示す斜視図である。
【図９】カメラ本体の接続部に外部アクセサリを固定する方法を説明する斜視図である。
【図１０】ハンドル部がカメラ本体の接続部に固定される前の状態を示す要部断面図である。
【図１１】ハンドル部がカメラ本体の接続部に固定された後の状態を示す要部断面図である。
【図１２】外部アクセサリがカメラ本体の接続部に固定される前の状態を示す要部断面図である。
【図１３】外部アクセサリがカメラ本体の接続部に固定された後の状態を示す要部断面図である。
【図１４】デジタルビデオカメラの制御系の概略を示すブロック図である。
【図１５】カメラ本体の接続部にハンドル部又は外部アクセサリが固定された場合の制御部の処理について説明するためのフローチャート図である。
【発明を実施するための形態】
【００１１】
以下、本発明の実施形態の一例を図面を参照して説明する。
【００１２】
図１は本発明の撮像装置の実施形態の一例であるデジタルビデオカメラのカメラ本体にハンドル部を接続固定した状態を正面側（被写体側）から見た斜視図、図２は図１に示すデジタルビデオカメラを背面側から見た斜視図である。図３は、図１に示すデジタルビデオカメラのカメラ本体に外部アクセサリを接続固定した状態を示す斜視図である。
【００１３】
本実施形態のデジタルビデオカメラは、図１及び図２に示すように、カメラ本体１０１の正面側に、撮像レンズ１０２、ＡＦセンサ１０３、マニュアルフォーカスリング１０４、及び録音マイク１０５等が設けられる。カメラ本体１０１の正面側から見て右側の側部には、電源ボタン１０６、及び表示ユニット１０７が設けられる。ここで、カメラ本体１０１は、本発明の装置本体の一例に相当する。
【００１４】
表示ユニット１０７は、ＬＣＤ等で構成され、カメラ本体１０１に対して開閉方向に回動可能に支持される。また、カメラ本体１０１の背面側には、ビューファインダ１０８、動画記録を開始／停止するためのトリガーボタン１０９、ズームレバー１１０、モード切替レバー１１１、及びバッテリ１１３等が設けられる。
【００１５】
ハンドル部２０１には、オーディオ用調整部２０２、トリガーボタン２０３、ズームボタン２０４、ＸＬＲコネクタ２０５、赤外ライト２０６、及びアクセサリ接続部２０７が設けられる。ＸＬＲコネクタ２０５は、音声ノイズを低減するために、ＧＮＤ信号、元の信号（ＨＯＴ）、及び元の信号と逆位相の信号（ＣＯＬＤ）の３つの電気信号線を有する。アクセサリ接続部２０７には、電気接点部を有さない外部アクセサリを着脱可能に接続することができる。
【００１６】
ハンドル部２０１は、カメラ本体１０１の上面部に光軸方向に互いに離間して設けられた２箇所の接続部１１４，１１５に着脱可能に接続される。本実施形態では、カメラ本体１０１の背面側の接続部１１５に電気接点部として複数のコネクタ接点部１１７ａが設けられる。したがって、接続部１１５は、機械的接続及び電気的接続が可能とされ、接続部１１４は、機械的接続のみが可能とされている。図３に示すように、外部アクセサリ３０１は、カメラ本体１０１の背面側の接続部１１５に着脱可能に接続される。
【００１７】
図４は、カメラ本体１０１の接続部１１５にハンドル部２０１を接続する前の状態を示す斜視図である。図４に示すように、カメラ本体１０１の背面側の接続部１１５には、シュー板金１１６が複数のコネクタ接点部１１７ａを有するコネクタ部１１７を覆うように取り付けられている。
【００１８】
ハンドル部２０１をカメラ本体１０１の接続部１１５に接続する際には、ハンドル部２０１のコネクタ部２０９を図４の矢印α方向、つまりカメラ本体１０１の背面側から接続部１１５のシュー板金１１６に挿入する。このとき、ハンドル部２０１のコネクタ部２０９の挿入ガイド部２０９ｂの幅Ｈ２は、シュー板金１１６の幅Ｈ１と略等しく、幅方向のガタが抑えられる。
【００１９】
図５は、ハンドル部２０１のコネクタ部２０９を接続部１１５のシュー板金１１６に挿入した後の状態を示す斜視図である。図５の状態では、コネクタ部２０９内のコネクタ接点部２０９ａ（図１０参照）が接続部１１５のコネクタ部１１７内のコネクタ接点部１１７ａに接触して電気的に接続される。そして、ハンドル部２０１のコネクタ部２０９を更に図４の矢印α方向に挿入すると、コネクタ部２０９の挿入方向の先端がシュー板金１１６の一部に当接する。
【００２０】
図６は、カメラ本体１０１の接続部１１５にハンドル部２０１を固定する方法を説明する斜視図である。図５の状態で、図６に示すように、ハンドル部２０１の回転部２０８ｂを図６のβ方向、つまり時計回り方向に回転操作すると、ハンドル部２０１の固定部２１０がシュー板金１１６の上面を押圧する。これにより、カメラ本体１０１の接続部１１５にハンドル部２０１が固定される。
【００２１】
なお、カメラ本体１０１の正面側の接続部１１４に対するハンドル部２０１を接続固定については、電気接点部が設けられていない点を除いて上記と同様であるため、その説明を省略する。
【００２２】
図７は、カメラ本体１０１の接続部１１５に外部アクセサリ３０１を接続する前の状態を示す斜視図である。図７に示すように、外部アクセサリ３０１をカメラ本体１０１の接続部１１５に接続する際には、外部アクセサリ３０１のコネクタ部３０３を図７の矢印α方向、つまりカメラ本体１０１の背面側から接続部１１５のシュー板金１１６に挿入する。このとき、ハンドル部２０１と同様に、外部アクセサリ３０１のコネクタ部３０３の挿入ガイド部３０３ｂの幅Ｈ２は、シュー板金１１６の幅Ｈ１と略等しく、幅方向のガタが抑えられる。
【００２３】
図８は、外部アクセサリ３０１のコネクタ部３０３を接続部１１５のシュー板金１１６に挿入した後の状態を示す斜視図である。図８の状態では、外部アクセサリ３０１のコネクタ部３０３の挿入方向の先端がシュー板金１１６の一部に当接し、コネクタ部３０３内のコネクタ接点部３０３ａ（図１２参照）がコネクタ部１１７内のコネクタ接点部１１７ａに接触して電気的に接続される。
【００２４】
図９は、カメラ本体１０１の接続部１１５に外部アクセサリ３０１を固定する方法を説明する斜視図である。図８の状態で、図９に示すように、外部アクセサリ３０１の回転部３０２を図９のβ方向、つまり時計回り方向に回転操作すると、外部アクセサリ３０１の固定部３０４がシュー板金１１６の上面を押圧する。これにより、カメラ本体１０１の接続部１１５に外部アクセサリ３０１が固定される。
【００２５】
図１０はハンドル部２０１がカメラ本体１０１の接続部１１５に固定される前の状態を示す要部断面図、図１１はハンドル部２０１がカメラ本体１０１の接続部１１５に固定された後の状態を示す要部断面図である。
【００２６】
ハンドル部２０１のオーディオ用調整部２０２、トリガーボタン２０３、ズームボタン２０４、ＸＬＲコネクタ２０５、及び赤外ライト２０６等の電気信号は、図１０に示すように、信号伝達部２１２を介してコネクタ部２０９内のコネクタ接点部２０９ａに伝わる。
【００２７】
ハンドル部２０１のコネクタ部２０９をカメラ本体１０１の背面側から接続部１１５のシュー板金１１６に挿入すると、コネクタ接点部２０９ａが接続部１１５のコネクタ接点部１１７ａを押し下げて一定の圧力で接触する。接続部１１５のコネクタ接点部１１７ａは、信号伝達部１２０を介してカメラ本体１０１の後述する制御部１２５（図１４参照）に電気的に接続可能とされる。
【００２８】
そして、図１０の状態で、ハンドル部２０１の回転部２０８ｂを時計回り方向（図６のβ方向）に回転操作すると、図１１に示すように、固定部２１０が回転部２０８ｂとの間のねじ作用により下降して固定ピン２１１がシュー板金１１６の穴部１２１ａに嵌合する。これにより、ハンドル部２０１の挿入方向に対する抜け止めがなされる。
【００２９】
更に回転部２０８ｂを同方向に回転操作すると、固定部２１０が更に下降してシュー板金１１６を押圧する位置で固定ピン２１１が検出スイッチ１１９ａの先端を押し込む。これにより、ハンドル部２０１がカメラ本体１０１に接続部１１５に固定されたことが検出される。
【００３０】
検出スイッチ１１９ａによる検出に基づき、制御部１２５の指令により、信号伝達部１２０、コネクタ接点部１１７ａ、コネクタ接点部２０９ａ、及び信号伝達部２１２を介して制御部１２５とハンドル部２０１との間で電気信号線が導通する。
【００３１】
図１２は外部アクセサリ３０１がカメラ本体１０１の接続部１１５に固定される前の状態を示す要部断面図、図１３は外部アクセサリ３０１がカメラ本体１０１の接続部１１５に固定された後の状態を示す要部断面図である。
【００３２】
外部アクセサリ３０１に設けられるマイクあるいはフラッシュライト等の電気回路からの信号は、図１２に示すように、信号伝達部３０６を介してコネクタ部３０３内のコネクタ接点部３０３ａに伝わる。
【００３３】
外部アクセサリ３０１のコネクタ部３０３をカメラ本体１０１の背面側から接続部１１５のシュー板金１１６に挿入すると、コネクタ接点部３０３ａは、接続部１１５のコネクタ部１１７内のコネクタ接点部１１７ａの上面を押し下げ、一定の圧力で接触する。接続部１１５のコネクタ接点部１１７ａは、信号伝達部１２０を介してカメラ本体１０１の制御部１２５に電気的に接続可能とされる。
【００３４】
そして、図１２の状態で、外部アクセサリ３０１の回転部３０２を時計回り方向（図９のβ方向）に回転操作すると、図１３に示すように、固定部３０４が回転部３０２との間のねじ作用により下降して固定ピン３０５がシュー板金１１６の穴部１２１ｂに嵌合する。これにより、外部アクセサリ３０１の挿入方向に対する抜け止めがなされる。
【００３５】
更に回転部３０２を同方向に回転操作すると、固定部３０４が更に下降してシュー板金１１６を押圧する位置で固定ピン３０５が検出スイッチ１１９ｂの先端を押し込む。これにより、外部アクセサリ３０１がカメラ本体１０１に接続部１１５に固定されたことが検出される。
【００３６】
検出スイッチ１１９ｂによる検出に基づき、制御部１２５の指令により、信号伝達部１２０、コネクタ接点部１１７ａ、コネクタ接点部３０３ａ、及び信号伝達部３０６を介して制御部１２５と外部アクセサリ３０１との間で電気信号線が導通する。
【００３７】
図１４は、デジタルビデオカメラの制御系の概略を示すブロック図である。なお、図１４では、説明の便宜上、ハンドル部２０１と外部アクセサリ３０１とを一つのブロックで表示している。
【００３８】
図１４において、撮像レンズ１０２は、ズームレンズ群１０２ａ、フォーカスレンズ群１０２ｂ、及び各レンズ群をそれぞれ駆動するモータ等の駆動手段１０２ｃで構成される。撮像レンズ１０２を通過した光は、撮像素子１２２に被写体像として結像して、光電変換される。
【００３９】
撮像素子１２２によって光電変換された映像信号は、信号処理回路１２３でデジタル信号に変換された後、所定の処理が施され、メモリ１２４に格納される。メモリ１２４に格納された画像データは、制御部１２５の指令に従って、定期的に読み出されることで表示ユニット１０７に表示され、また、必要に応じて圧縮処理されて記録装置１２６に記録される。
【００４０】
電気信号切り替え部１２７は、コネクタ接点部１１７ａとハンドル用電気信号回路との接続と、コネクタ接点部１１７ａとアクセサリ用電気信号回路との接続を選択的に切り替える。そして、カメラ本体１０１の接続部１１４，１１５にハンドル部２０１が接続されて固定されると、上述したように、固定ピン２１１により検出スイッチ１１９ａが押し込まれる。ここで、検出スイッチ１１９ａは、本発明の第１の検出スイッチの一例に相当する。
【００４１】
検出スイッチ１１９ａが押し込まれると、制御部１２５からの指令により、電気信号切り替え部１２７でコネクタ接点部１１７ａとハンドル用電気信号回路との接続に切り替えられる。これにより、ハンドル部２０１と制御部１２５との間で電気信号線が導通し、ハンドル部２０１又はカメラ本体１０１からコネクタ接点部１１７ａにハンドル用の各種電気信号が伝達される。
【００４２】
具体的には、ＸＬＲコネクタ２０５からの電気信号は、ＸＬＲ入力回路２０５ａを経てカメラ本体１０１のＡ／Ｄコンバータ１２８でデジタル信号化された後、信号処理回路１２３を経てメモリ１２４に格納される。ハンドル部２０１のトリガーボタン２０３、及びズームボタン２０４が操作されると、制御部１２５の指令により、撮影開始／終了の切り替え、及び撮影倍率の調整が行われる。赤外ライト２０６は、カメラ本体１０１側の赤外撮影ボタン１２９の入力動作に応じて、制御部１２５の指令に従って、赤外入力回路２０６ａを介して発光し、赤外暗所撮影が可能となる。
【００４３】
一方、カメラ本体１０１の１１５に外部アクセサリ３０１が接続されて固定されると、外部アクセサリ３０１の固定ピン３０５により検出スイッチ１１９ｂが押し込まれる。ここで、検出スイッチ１１９ｂは、本発明の第２の検出スイッチの一例に相当する。
【００４４】
検出スイッチ１１９ｂが押し込まれると、制御部１２５からの指令を受け、電気信号切り替え部１２７によりコネクタ接点部１１７ａとアクセサリ用電気信号回路との接続に切り替えられる。これにより、外部アクセサリ３０１と制御部１２５との間で電気信号線が導通し、外部アクセサリ３０１からカメラ本体１０１のコネクタ接点部１１７ａにアクセサリ用の各種電気信号が伝達される。
【００４５】
具体的には、アクセサリ（ＡＣＣ）マイク３０７からの電気信号は、マイク増幅回路３０７ａを経て、カメラ本体１０１のＡ／Ｄコンバータ１２８でデジタル信号化され、信号処理回路１２３を経てメモリ１２４に格納される。同様に、アクセサリマイク３０８からの電気信号は、マイク増幅回路３０８ａを経て、カメラ本体１０１のＡ／Ｄコンバータ１２８でデジタル信号化され、信号処理回路１２３を経てメモリ１２４に格納される。
【００４６】
また、アクセサリＩＤ３０９、及びアクセサリＩＤ３１０の信号入力に応じて、制御部１２５の指令により、接続部１１５に固定されている外部アクセサリに応じた電気信号線を使用する。例えば、外部アクセサリとして指向性のステレオマイクが接続部１１５に固定されたことをアクセサリＩＤ３０９，３１０により制御部１２５が認識した場合、アクセサリマイク３０７の電気信号線のみを使用する。また、外部アクセサリとして５．１ｃｈ対応のサラウンドマイクが接続部１１５に固定されたことをアクセサリＩＤ３０９，３１０により制御部１２５が認識した場合は、アクセサリマイク３０７，３０８の電気信号線を使用する。
【００４７】
このように、本実施形態では、カメラ本体１０１の接続部１１５にハンドル部２０１が固定された場合と外部アクセサリ３０１が固定された場合とで電気信号回路を切り替えることで、限られた数の電気接点部を有効に利用することができる。また、限られた数の電気接点部を有効利用するために、ハンドル部２０１及び外部アクセサリ３０１には、それぞれ共通のＧＮＤ（グランド）２１３ａ，２１３ｂが設けられている。
【００４８】
次に、図１５を参照して、カメラ本体１０１の接続部１１５にハンドル部２０１又は外部アクセサリ３０１が固定された場合の制御部１２５の処理について説明する。
【００４９】
図１５において、ステップＳ１０１では、制御部１２５は、電源ボタン１０６がＯＮ操作されると、ステップＳ１０２に進む。
【００５０】
ステップＳ１０２では、制御部１２５は、固定ピン２１１が検出スイッチ１１９ａの先端を押し込んだか否か、即ち、ハンドル部２０１がカメラ本体１０１の接続部１１５に固定されたか否かを判断する。そして、制御部１２５は、ハンドル部２０１がカメラ本体１０１の接続部１１５に固定されたと判断した場合は、ステップＳ１０３に進み、そうでない場合は、ステップＳ１０６に進む。
【００５１】
ステップＳ１０３では、制御部１２５は、電気信号切り替え部１２７を制御して、コネクタ接点部１１７ａとハンドル用電気信号回路との接続に切り替えてハンドル部２０１とカメラ本体１０１との電気信号線を導通させ、ステップＳ１０４に進む。
【００５２】
ステップＳ１０４では、制御部１２５は、ハンドル部２０１がカメラ本体１０１の接続部１１５から取り外されたかを判断し、取り外されたと判断した場合は、ステップＳ１０５に進む。
【００５３】
ステップＳ１０５では、制御部１２５は、電気信号切り替え部１２７を制御して、コネクタ接点部１１７ａとハンドル用電気信号回路との接続を遮断し、ステップＳ１０６に進む。
【００５４】
ステップＳ１０６では、制御部１２５は、固定ピン３０５により検出スイッチ１１９ｂの先端が押し込まれたか否か、即ち、外部アクセサリ３０１がカメラ本体１０１の接続部１１５に固定されたか否かを判断する。そして、制御部１２５は、外部アクセサリ３０１がカメラ本体１０１の接続部１１５に固定されたと判断した場合は、ステップＳ１０７に進み、そうでない場合は、ステップＳ１１０に進む。
【００５５】
ステップＳ１０７では、制御部１２５は、電気信号切り替え部１２７を制御して、コネクタ接点部１１７ａとアクセサリ用の電気信号回路との接続に切り替えて外部アクセサリ３０１とカメラ本体１０１との電気信号線を導通させ、ステップＳ１０８に進む。
【００５６】
ステップＳ１０８では、制御部１２５は、外部アクセサリ３０１がカメラ本体１０１の接続部１１５から取り外されたかを判断し、取り外されたと判断した場合は、ステップＳ１０９に進む。
【００５７】
ステップＳ１０９では、制御部１２５は、電気信号切り替え部１２７を制御して、コネクタ接点部１１７ａとアクセサリ用の電気信号回路との接続を遮断し、ステップＳ１１０に進む。
【００５８】
ステップＳ１１０では、制御部１２５は、電源ボタン１０６がＯＦＦ操作されたかを判断し、ＯＦＦ操作されてない場合は、上記処理を繰り返し、ＯＦＦ操作された場合は、処理を終了する。
【００５９】
以上説明したように、本実施形態では、デジタルビデオカメラのコスト増や大型化を招くことなく、カメラ本体１０１に対するハンドル部２０１及び外部アクセサリ３０１の着脱作業を容易にしつつ電気的接続も可能にすることができる。
【００６０】
また、本実施形態では、ハンドル部２０１又は外部アクセサリ３０１がカメラ本体１０１の接続部１１５に固定された状態で、ハンドル部２０１又は外部アクセサリ３０１とカメラ本体１０１の制御部１２５との間で電気信号線が導通する。このため、ハンドル部２０１又は外部アクセサリ３０１の電気接点部とカメラ本体１０１の電気接点部との接触信頼性が向上する。
【００６１】
なお、本発明の構成は、上記実施形態に例示したものに限定されるものではなく、材質、形状、寸法、形態、数、配置箇所等は、本発明の要旨を逸脱しない範囲において適宜変更可能である。
【００６２】
例えば、上記実施形態では、カメラ本体１０１の２箇所の接続部１１４，１１５の一方にのみ電気接点部を設けた場合を例示したが、２箇所の接続部１１４，１１５の両方にそれぞれ電気接点部を設けてもよい。
【符号の説明】
【００６３】
１０１  カメラ本体
１１５  接続部
１１７ａ  コネクタ接点部
１１９ａ，１１９ｂ  検出スイッチ
１２５  制御部
１２７  電気信号切り替え部
２０１  ハンドル部
２０９ａ  コネクタ接点部
３０１  外部アクセサリ
３０３ａ  コネクタ接点部
【図１】
2015018167.tif 000003
【図２】
2015018167.tif 000004
【図３】
2015018167.tif 000005
【図４】
2015018167.tif 000006
【図５】
2015018167.tif 000007
【図６】
2015018167.tif 000008
【図７】
2015018167.tif 000009
【図８】
2015018167.tif 000010
【図９】
2015018167.tif 000011
【図１０】
2015018167.tif 000012
【図１１】
2015018167.tif 000013
【図１２】
2015018167.tif 000014
【図１３】
2015018167.tif 000015
【図１４】
2015018167.tif 000016
【図１５】
2015018167.tif 000017